(57)【要約】【課題】段ボールの展開シートから組み立て構成される段ボール製箱体からなる棺本体の長辺方向（長手方向）を実用上十分な耐荷重強度に強化する。【解決手段】段ボールの展開シートａを曲げ溝ａ１〜ａ７に沿って折り曲げ組み立てて構成される段ボール製棺桶Ａであって、矩形状の底板部１に長辺側板部２を折り曲げ起立可能に連設する長辺曲げ溝７ａを段ボールの波状中芯ａ４の波状方向に向けて形成して、長辺側板部２を長辺曲げ溝７ａに沿って折り曲げ起立させるとき、長辺曲げ溝７ａを含めて底板部１側と長辺側板部２側に連通存在する波状中芯ａ４の空洞部８に充填剤を流し込み充填することにより底板部１と長辺側板部２との連設コーナー部分に強化梁材９が硬化形成されるようにした。【選択図】図２
2014005067.tif 000002
【特許請求の範囲】
【請求項１】
段ボールからなる展開シートに曲げ溝を形成し、該曲げ溝に沿って展開シートを折り曲げて組み立て構成される段ボール製箱体であって、
少なくとも矩形状の底板部と、
該底板部に長辺曲げ溝を介して折り曲げ起立可能に連設される長辺側板部と、
前記底板部に短辺曲げ溝を介して折り曲げ起立可能に連設される短辺側板部と、を備え、
前記長辺曲げ溝は、段ボールの波状中芯の波状方向に向けた方向に形成され、
前記長辺側板部を前記長辺曲げ溝に沿って折り曲げ起立させるとき、該長辺曲げ溝を含めて前記底板部側と前記長辺側板部側に連通存在する前記波状中芯の空洞部に接着性を有する充填剤を流し込み充填して、前記底板部と前記長辺側板部との連設コーナー部分に、長辺全長にわたる強化梁材を硬化形成してなることを特徴とする段ボール製箱体。
【請求項２】
前記強化梁材は、前記連設コーナー部分において断面視でＬ字状に硬化形成されて長辺全長にわたり内設されることを特徴とする請求項１に記載の段ボール製箱体。
【請求項３】
前記強化梁材は、前記底板部と前記長辺側板部との前記連設コーナー部分のコーナー内側において長辺全長にわたりはみ出し硬化されて形成される長辺内コーナー押え部を一体に備え、
前記長辺内コーナー押え部は、前記短辺側板部を前記短辺曲げ溝に沿って折り曲げ起立させるとき、前記短辺曲げ溝に流し込み充填されて前記底板部と前記短辺側板部との連設コーナー部分のコーナー内側において短辺方向全長にわたりはみ出し硬化されて形成される短辺内コーナー押え部と一体に連設されて硬化形成されることを特徴とする請求項１または２に記載の段ボール製箱体。
【請求項４】
前記長辺側板部に長辺折返し曲げ溝を介して水平内曲げ折返し可能に連設されて前記長辺側板部の内側に重ねられる長辺折返し板部と
前記短辺側板部に短辺折返し曲げ溝を介して水平内曲げ折返し可能に連設されて前記短辺側板部の内側に重ねられる短辺折返し板部と、
前記長辺側板部に側辺曲げ溝を介して垂直内向き折り曲げ可能に連設されて前記短辺側板部の内側において解放端同士を突き合わせた状態で当該内側に面一状に重なられる内曲げ単片板部と、をさらに備え、
前記短辺折返し板部は、前記内曲げ単片板部の上辺端に突き合わせ係合された状態で該内曲げ単片板部とともに前記短辺側板部の内側に面一状に重なるように形成されていることを特徴とする請求項１〜３のいずれかに記載の段ボール製箱体。
【請求項５】
請求項１〜４のいずれかに記載の段ボール製箱体を、棺本体に適用してなる段ボール製棺桶。
【発明の詳細な説明】
【技術分野】
【０００１】
本発明は、段ボール製箱体および段ボール製棺桶に係り、特に、強化段ボールからなる展開シートを曲げ溝に沿って折り曲げることで箱状に組み立て構成される段ボール製箱体、およびこの段ボール製箱体を棺本体に適用させてなる段ボール製棺桶に関する。
【背景技術】
【０００２】
近年では、エコ思考の時代の流れに乗って木製の棺桶に代わり、段ボール製の棺桶が注目されている。段ボール製棺桶は、木製棺桶に比べ軽量であり輸送上の利便性があり、しかも、火葬時の燃焼性に優れているために焼却時間を短縮でき、燃料消費を抑え、二酸化炭素（ＣＯ2）の排出量も少なく、さらに、木材資源の浪費を抑えることから天然資源の保護にも資することができるなどの環境に優しいエコ商品として注目度を高め、種々形態ものが提案されている（例えば、特許文献１などを参照）。
【０００３】
特許文献１に記載の段ボール製棺桶は、強化段ボールからなる展開シートに縦横方向のＶ溝を形成し、該Ｖ溝に沿って展開シートを折り曲げることで箱状に組み立て構成されるようになっている。
すなわち、箱状の棺桶を組み立て構成する展開シートは、矩形状の底板と、この底板の左右長辺で縦Ｖ溝により垂直に折り曲げられる両側板および底板の前後短辺で横Ｖ溝により垂直に折り曲げられる両妻板とを備えている。また、展開シートは、両側板に、妻板よりもシート厚さ分、底板の前後方向（短辺方向）中央側にズレタ位置で、横Ｖ溝により垂直内向きに折り曲げられて妻板の内側に重なる挟み代板を両側板に備え、両妻板には挟み代板の上方で横Ｖ溝により水平内向きに折り曲げられる架橋板と、この架橋板の先端（解放端）から横Ｖ溝により垂直下向きに折り返されて挟み代板の内側に重なる折り返し板とを備えている。
【０００４】
ところで、段ボール製棺桶は、木製棺桶に比べて耐荷重強度（耐久性）が劣る。特に、一枚の展開シートから上面開口の平面視で矩形状（長方形）に組み立て形成される棺本体の底部や両側部の長辺方向（長手方向）における耐荷重強度が劣る。そのために、同長辺方向の耐荷重強度を強化して、収容される遺体やその他の収容物（ドライアイスなど）の荷重負荷によって棺本体の長辺方向、特に、長辺方向における中央部分などが下方に撓む（歪む）などの座屈が起きないようにすることが重要である。
つまり、棺桶は、持ち上げ移動するときや葬儀祭壇に安置されるときには、長手方向における両側（短手側）を支えて行われる。葬儀祭壇に安置される場合には棺台に長手方向の両側を載置支持させた状態で葬儀祭壇に安置されるために、両側の棺台間における
【先行技術文献】
【特許文献】
【０００５】
【特許文献１】実用新案登録第３１３４９１９号公報（段落番号００１３、００３２〜００３８、および図１〜図９などを参照）
【発明の概要】
【発明が解決しようとする課題】
【０００６】
そこで、特許文献１に記載の従来技術では、挟み代板の外側と内側に妻板と折返し板をそれぞれ重ねることで、板面同士の広い範囲での接触面（接着面積）を確保し、これにより、棺本体の両側板と両妻板との固定強度を高め、棺本体の耐荷重強度を向上させるようにしている。
【０００７】
しかしながら、このように棺本体の両側板と両妻板との固定強度を高めたところで、収容される遺体やその他の収容物などの荷重負荷に対して最も耐荷重強度が求められる棺本体の長辺方向（長手方向）における耐荷重強度を向上させることはできない。そのために、従来技術では、収容される遺体やその他の収容物などの過重負荷によって棺本体の長辺方向における特に底部中央部分が下方に撓む（歪む）などの座屈を引き起こす長辺方向の強度不足が依然として残されていた。
【０００８】
また、従来技術では、特許文献１の図１、図２、図９に示されているように、棺本体の左右長辺側を側板とその内側に折り返し重ねられる枠板との二層壁構造とし、前後短辺側を前記のように挟み代板、この挟み代板を内外から挟む妻板と折返し板との三層壁構造としている。そのために、棺本体の開口部における長辺側の開口縁幅よりも短辺側の開口縁幅が広く、また、長辺側と短辺側とのコーナー外側には三層強化段ボールの一枚の厚さに相当する段差が現れ存在しているなどによって、外観などの見栄えを低下させるものとなっていた。
【０００９】
そこで、本発明は、このような問題を解消することを課題に創案されたものである。すなわち、表裏ライナーと波状中芯との積層構造からなる段ボールの断面形状特性を利用して、段ボールの展開シートから組み立て構成される段ボール製箱体からなる棺本体の長辺方向（長手方向）を実用上十分な耐荷重強度に強化すること、などが本発明の目的である。
【課題を解決するための手段】
【００１０】
前記課題を解決するために、本発明に係る段ボール製箱体および段ボール製棺桶では少なくとも以下の構成を具備している。
すなわち、本発明の段ボール製箱体は、段ボールからなる展開シートに曲げ溝を形成し、該曲げ溝に沿って前記展開シートを折り曲げて箱状に組み立てて構成される段ボール製箱体であって、
前記展開シートは、少なくとも矩形状の底板部と、該底板部に長辺曲げ溝を介して折り曲げ可能に連設される長辺側板部と、前記底板部に短辺曲げ溝を介して折り曲げ可能に連設される短辺側板部とを備え、前記長辺曲げ溝は、段ボールの波状中芯の波状方向に向けた方向にて展開シートに形成され、
前記長辺側板部を前記長辺曲げ溝に沿って折り曲げ起立させるとき、該長辺曲げ溝を含めて前記底板部側と前記長辺側板部側に連通存在する前記波状中芯の空洞部に接着性を有する充填剤を流し込み充填して、前記長辺側板部と前記底板部との連設コーナー部分に、長辺全長にわたる強化梁材が硬化形成されるようにしてなることを特徴とする。
【００１１】
ここで、前記強化梁材は、断面視でＬ字状に硬化形成されて長辺全長にわたり内設されるように、前記底板部側と前記長辺側板部側の前記波状中芯の空洞部に前記充填剤を流し込み充填すること、また、前記強化梁材は、前記底板部と前記長辺側板部との前記連設コーナー部分のコーナー内側において長辺全長にわたりはみ出し硬化されて形成される長辺内コーナー押え部を一体に備え、前記長辺内コーナー押え部は、前記短辺側板部を前記短辺曲げ溝に沿って折り曲げ起立させるとき、前記短辺曲げ溝に流し込み充填されて前記底板部と前記短辺側板部との連設コーナー部分のコーナー内側において短辺方向全長にわたりはみ出し硬化されて形成される短辺内コーナー押え部と一体に連設されて硬化形成されるようにしたこと、などの構成を採用することが好適なものとなる。
【００１２】
また、前記展開シートは、前記長辺側板部および前記短辺側板部に上部長辺曲げ溝および上部短辺曲げ溝をそれぞれ介して水平内曲げ折返し可能に連設されて前記長辺側板部および前記短辺側板部のそれぞれの内側に重なる長辺折返し板部および短辺折返し板部と、前記長辺側板部に側部曲げ溝を介して垂直内向き折り曲げ可能に連設されて前記短辺側板部の内側において解放端同士を面一状に突き合わせた状態で当該内側に重なる内曲げ単片板部とをさらに備え、前記短辺折返し板部は、前記短辺側板部の内側に折り返し重ねられたときに、前記内曲げ単片板部に面一状に突き合わせ係合された状態で該内曲げ単片板部とともに前記短辺側板部の内側に重なるように形成されている構成を採用することが好適なものとなる。
【００１３】
このような構成を有する段ボール製箱体によれば、箱体の長辺方向（長手方向）は、矩形状の底板部と長辺側板部との連設コーナー部分において波状中芯の空洞部に流れ込み充填されて当該連設コーナー部分の長辺全長にわたり硬化形成される強化梁材によって強化される。これにより、箱体底部の長辺方向（長手方向）に実用上十分な耐荷重強度を付与する。つまり、木製棺桶の変わらぬ耐荷重強度を箱体底部の長辺方向に付与し、当該底部が荷重負荷により下方に撓む（歪む）座屈を抑えることができる。
【００１４】
また、強化梁材は、底板部側と長辺側板部側に一体に連設する断面視でＬ字状を呈している所謂アングル材としての機能、つまり、曲げ方向の荷重負荷に対して強い断面構造を呈していることで、箱体底部の長辺方向（長手方向）の耐荷重強度を効果的に強化することができる。
また、箱体底部（底板部）から垂直に折り曲げ起立される長辺側部（長辺側板部）の直立姿勢は、その直立根元の連設コーナー部分に長辺全長にわたり内設されているＬ字状の強化梁材によって定形保持される。これにより、箱体底部（底板部）が荷重負荷を受けた際に箱体の長辺側部（長辺側板部）が内側に引っ張られるように倒れ込む現象をその起立根元にて防ぐことができる。
【００１５】
また、底板部と長辺側板部との連設コーナー部分のコーナー内側には強化梁材と一体に連設されて硬化形成される長辺内コーナー押え部を備え、底板部と短辺側板部との連設コーナー部分のコーナー内側には長辺内コーナー押え部に一体に連設されて硬化形成される短辺内コーナー押え部を備えていることで、箱体底部の耐荷重強度を長辺と短辺との両辺コーナー内側からさらに強化することができる。
また、長辺内コーナー押え部によって長辺側板部の内側に折り返し重ねられる長辺折返し板部を押え込むことができ、また、短辺内コーナー押え部によって短辺側板部の内側に解放端同士を突き合せた状態で内曲げ重ねられる内曲げ単片板部を押え込むことができる。つまり、従来技術では、箱体底部の内側に底板部とほぼ同じ形状の内底板を落とし込むように内設させて、長辺、短辺両折返し板部が跳ね上がるなどによって剥離することを防いでいたことを、長辺および短辺の両辺コーナー内側に沿って一体に連設形成される長辺、短辺両内コーナー押え部によって防ぐことができる。
【００１６】
また、箱体の長辺側部は、長辺側板部と、その内側全面に折り返し重ねられる長辺折返し板部との二層壁構造と成し、箱体の短辺側部は、短辺側板部と、その内側において解放端同士を突き合せた状態で重ねられる長辺側板部側からの内曲げ単片板部と、この内曲げ単片部に面一状に突き合わせ係合された状態で該内曲げ単片板部とともに短辺側板部の内側に重ねられる短辺側板部側からの短辺折返し板部とからなる二層壁構造を成している。これにより、箱体の長辺側部と短辺側部とに底部が受ける耐荷重強度に対する剛性を付与することができる。
また、箱体の開口部における長辺開口縁と短辺開口縁とは同じ縁幅で、なおかつ、長辺側板部と短辺側板部とのコーナー外側には段差などが現れ存在しない格調ある外観を呈する箱体を組み立て構成することができる。
【００１７】
また、本発明の段ボール製棺桶は、前記段ボールからなる展開シートを曲げ溝に沿って前記展開シートを折り曲げて箱状に組み立てて構成される段ボール製箱体を、棺本体に適用してなることを特徴とする。
【００１８】
このような構成を有する段ボール製棺桶によれば、前記した構成の段ボール製箱体を棺本体に適用させてなる。
つまり、棺本体の底部長辺方向は、矩形状の底板部と長辺側板部との連設コーナー部分において波状中芯の空洞部に流れ込み充填されて当該連設コーナー部分の長辺全長にわたり硬化形成される強化梁材によって強化される。これにより、収容される遺体やその他の収容物などの荷重負荷により底部が下方に撓む（歪む）座屈を抑える実用上十分な耐荷重強度を箱体底部の長辺方向（長手方向）に付与することができる。
【００１９】
また、断面視がＬ字状の強化梁材によって、棺本体の底部長辺方向における耐荷重強度を効果的に強化することができ、しかも、底部（底板部）が荷重負荷を受けた際に棺本体の長辺側部（長辺側板部）が棺本体の内側に引っ張られるように倒れ込む現象をその起立根元にて防ぐことができる。
【００２０】
また、底板部と長辺側板部との連設コーナー部分のコーナー内側には強化梁材と一体に連設されて硬化形成される長辺内コーナー押え部を備え、底板部と短辺側板部との連設コーナー部分のコーナー内側には長辺内コーナー押え部に一体に連設されて硬化形成される短辺内コーナー押え部を備えていることで、棺本体底部の耐荷重強度を長辺と短辺との両辺コーナー内側からさらに強化することができる。つまり、棺本体底部の矩形状形態が、長辺両側の強化梁材と、長辺および短辺の両辺コーナー内側に沿って一体に連設される長辺、短辺両内コーナー押え部とによって定形保持されることで、耐荷重強度をさらに強化することができる。
【発明の効果】
【００２１】
本発明の段ボール製箱体によれば、矩形状の底板部と長辺側板部との連設コーナー部分に、長辺全長にわたり硬化形成される強化梁材を備えていることで、長辺方向（長手方向）に実用上十分な耐荷重強度を強化することができる。これにより、底部の長辺方向（長手方向）における耐荷重強度を向上させて荷重負荷によって底部が下方に撓む（歪む）座屈を抑えることができる。
また、強化梁材は、断面視でＬ字状に硬化形成されることで、箱体長手方向の耐荷重強度を効果的に強化することができる。
【００２２】
また、底板部と長辺側板部との連設コーナー部分のコーナー内側に強化梁材と一体に連設されて硬化形成される長辺内コーナー押え部を備え、底板部と短辺側板部との連設コーナー部分のコーナー内側に長辺内コーナー押え部に一体に連設されて硬化形成される短辺内コーナー押え部を備えていることで、長辺方向の耐荷重強度を長辺および短辺の両辺コーナー内側からさらに強化することができる。
【００２３】
また、本発明の段ボール製棺桶によれば、前記構成の段ボール製箱体を棺本体に適用させてなることで、棺本体の底部長辺方向は、矩形状の底板部と長辺側板部との連設コーナー部分において波状中芯の空洞部に流れ込み充填されて当該連設コーナー部分の長辺全長にわたり硬化形成される強化梁材によって強化される。これにより、収容される遺体やその他の収容物などの荷重負荷により底部が下方に撓む（歪む）座屈を抑える実用上十分な耐荷重強度を箱体底部の長辺方向（長手方向）に付与することができる。
【００２４】
また、断面視がＬ字状の強化梁材によって、棺本体の底部長辺方向における耐荷重強度を効果的に強化することができる。
また、底部（底板部）が荷重負荷を受けた際に棺本体の長辺側部（長辺側板部）が棺本体の内側に引っ張られるように倒れ込む現象を、強化梁材が内設されている連設コーナー部分の起立根元にて防ぐことができる。これにより、棺本体底部の下方に撓む（歪む）座屈を抑える耐荷重強度の強化を図ることができる。
【００２５】
また、棺本体底部の矩形状形態が、長辺両側の強化梁材と、長辺および短辺の両辺コーナー内側に沿って一体に連設されて硬化形成される長辺および短辺両内コーナー押え部とによって定形保持されることで、棺本体の耐荷重強度をさらに強化することができる。
【図面の簡単な説明】
【００２６】
【図１】本発明の実施形態に係る段ボール製箱体を棺本体に適用させてなる段ボール製棺桶の全体構成を示す長辺方向を示す縦断説明図である。
【図２】同短辺方向の縦断説明図である。
【図３】同段ボール製棺桶の棺本体を組み立て構成する展開シートを裏面側から見たときの説明斜視図である。
【図４】長辺曲げ溝および長辺折返し曲げ溝の加工形態の一例を示す要部の拡大斜視図である。
【図５】短辺曲げ溝および短辺折返し曲げ溝、側辺曲げ溝の加工形態の一例を示す要部の拡大斜視図である。
【図６】強化梁材および長辺内コーナー押え部を示す要部の拡大斜視図である。
【図７】長辺折返し板部を長辺側板部の内側に折り返し重ねた状態を示す説明斜視図である。
【図８】長辺側板部を垂直に折り曲げ起立させ、かつ、内曲げ単片板部を内向きに折り曲げた状態を示す説明斜視図である。
【図９】短辺側板部を垂直に折り曲げ起立させ、かつ、短辺折返し板部を短辺側板部の内側上半部に折り返し重ねた状態を示す説明斜視図である。
【図１０】組み立て構成された棺本体を蓋体とともに示す説明斜視図である。
【発明を実施するための形態】
【００２７】
以下、本発明の実施形態について、適宜図面を参照しながら詳細に説明する。
図１は、本発明の実施形態に係る段ボール製箱体を棺本体に適用させてなる段ボール製棺桶の全体構成を示す長辺方向の縦断説明図であり、図２は、同短辺方向の縦断説明図である。
【００２８】
≪段ボール製棺桶の説明≫
段ボール製棺桶（以後、単に「棺桶」称する）Ａは、二層や三層などからなる強化段ボール、例えば、図１に拡大図で示す二層強化段ボールから折り曲げ組み立てられて箱状に構成される上面開口の棺本体Ａ１と、この棺本体Ａ１の開口部を閉じる下面開口の蓋体Ａ２とからなる。蓋体Ａ２の前側寄り（一側短辺側）には観音開きの扉によって開閉される窓が開口されており、扉を開くことで棺本体Ａ１の内部を覗くことができるようになっている。
棺桶Ａの大きさは、例えば、長辺（長さ）寸法が１７００〜２０００ｍｍ程度、短辺（幅）寸法が５００〜７００ｍｍ程度、蓋体Ａ２を含めた高さ寸法が４００〜５００ｍｍ程度である。
【００２９】
二層強化段ボールは、強化厚板からなる表面ライナーａ１と裏面ライナーａ２との間に、中間ライナー（仕切り板）ａ３を介して二層の波状中芯ａ４を積層接着してなる二層フルート構造である。
そして、本実施例では、表面ライナーａ１および裏面ライナーａ２、中間ライナーａ３、波状中芯ａ４の素材として、古紙の少ない木材や非木材から直接作られているバージンパルプを使用している。これにより、火葬後、拾骨作業の障害となる燃え残り滓、所謂カルシウム成分が灰として残ることを極力少なくして分別作業を軽減するようにしている。
ここで、表面ライナーａ１は、棺桶Ａの表面（外被）となり、裏面ライナーａ２は、棺桶Ａの内面（内皮）となる。
【００３０】
なお、棺桶Ａの表面などに、必要に応じて可燃性の布やフィルムなどからなる化粧シートを貼り付けるなどの化粧仕上げなどを施すことで、棺桶Ａの質感を高めることができる。
【００３１】
≪棺本体の説明≫
図３は、棺本体を組み立て構成する展開シートを裏面側（裏面ライナー側）から見たときの説明斜視図である。ここでは、図１および図２を適宜参照しながら説明する。
棺本体Ａ１は、図３に示す展開シート（ブランクシート）ａから折り曲げられて図１および図２に示す上面開口の箱状に組み立て構成される。
展開シートａは、プレスなどの打抜き加工機によって二層強化段ボールから打ち抜き裁断されて製造される。この展開シートａは、図３に示すように、矩形状（長方形）の底板部１と、この底板部１の両長辺に長辺曲げ溝７ａを介して折り曲げ起立可能に連設される長辺側板部２と、両短辺に短辺曲げ溝７ｂを介して折り曲げ起立可能に連設される短辺側板部（妻板部）３とを備えている。
また、図３に示すように、展開シートａは、長辺側板部２の上辺に二列（二重）に隣接させた長辺折返し曲げ溝７ｃを介して内向き折返し可能に連設させた長辺折返し板部４と、短辺側板部３の上辺に同じく２列に隣接させた短辺折返し曲げ部７ｄを介して内向きに折返し可能に連設される辺折返し板部４および短辺折返し板部５と、長辺側板部２の両側辺に側辺曲げ溝７ｅを介して内向きに折り曲げ可能に連設される内曲げ単片板部６とを備えている。
【００３２】
平面視で矩形状の底板部１の両長辺および両短辺から垂直に折り曲げ起立される長辺側板部２および短辺側板部３は、底板部１からの折り曲げ起立高さが同じ高さ寸法に形成されている。
【００３３】
長辺側板部２の上辺に長辺曲げ溝７ａを介して連設される長辺折返し板部４は、長辺側板部２の起立高さ寸法にて形成されている。これにより、棺本体Ａ１の長辺両壁部は、図２に示すように、長辺側板部２と長辺折返し板部４とからなる二重壁構造（二層強化段ボールの２枚重ねＷ構造）となって実用上十分な強度を備えることになる。
【００３４】
そして、長辺側板部２の起立両側辺に側辺曲げ溝７ｅを介して連設される内曲げ単片板部６は、図１および図２に示すように、互いの解放端同士を短辺側板部３の幅方向中央において突き合わせた状態で短辺側板部３の内側に面一状に重なる折り曲げ幅寸法にて形成されている。
また、図１および図２に示すように、内曲げ単片板部６は、短辺側板部３の内側に折り曲げ重ねられた状態で、底板部１からの起立高さ寸法が、当該底板部１からの短辺側板部３の起立高さ寸法よりも低い高さに形成されている。これにより、短辺折返し板部５が短辺側板部３の内側に折り返し重ねられるとき、内曲げ単片板部６の上辺に突き合わせ係合されるようにしている。
【００３５】
一方、短辺側板部３の上辺に短辺折返し曲げ溝７ｄを介して連設される短辺折返し板部５は、図１および図２に示すように、短辺側板部３の内側に折り返し重ねられるとき、内曲げ単片板部６の上辺に解放端を突き合わせ係合させる折り返し幅寸法に形成されている。つまり、短辺折返し板部５は、短辺側板部３の内側上半部に位置して内曲げ単片板部６と面一状に重ねられるお置きに形成されている。
これにより、短辺折返し板部５は、短辺側板部３の幅方向中央部位において解放端同士を突き合わせて短辺側板部３の内側に重ねられる両内曲げ単片板部６とともに短辺側板部３の内側に面一状に重なる。つまり、棺本体Ａ１の短辺両壁部は、短辺側板部３と、この短辺側部３の内側に解放端同士を突き合わせて面一状に重なる両内曲げ単片板部６、そして両内曲げ単片板部６の上辺に突き合わせ係合させて短辺側部３の内側上半部において面一状に重なる短辺折返し板部５とからなる二重壁構造（二層強化段ボールの２枚重ねＷ構造）となって、前記の長辺両壁部２と同様に実用上十分な強度を備えることになる。
【００３６】
≪曲げ溝の説明≫
つぎに、長辺側板部２、短辺側板部３、長辺折返し板部４、短辺折返し板部５、内曲げ単片板部６、これらを９０°折り曲げ可能に、または、１８０°折り返し可能に連設するように各板部２〜６の境界部分にそれぞれ形成される各曲げ溝７ａ〜７ｅについて説明する。ここでは、図１〜図３を適宜参照しながら説明する。
【００３７】
まず、長辺曲げ溝７ａと長辺折返し曲げ溝７ｃについて説明する。図４は、長辺曲げ溝および長辺折返し曲げ溝の加工形態を示す要部の拡大斜視図である。
この長辺曲げ溝７ａと長辺折返し曲げ溝７ｃは、二重強化段ボールの波状中芯ａ３の波状方向に向けた方向にそれぞれ形成される。
具体的に説明すると、図４に示すように、長辺曲げ溝７ａと長辺折返し曲げ溝７ｃは、表面ライナーａ１側を残し、裏面ライナーａ２、中間ライナーａ３、二層の波状中芯ａ４を、回転刃などを用いて溝角が略９０°のＶ字状になるように切除することにより、底板部１と長辺側板部２の境界、そして長辺側板部２と長辺折返し板部４の境界において波状中芯ａ３の波状方向に向けた方向（波状芯材ａ３の空洞部８と直交する方向）に向けてそれぞれ形成されるＶ溝である。
これにより、底板部１側と長辺側板部２側の波状中芯ａ４の空洞部８は、長辺方向に連なって延びる長辺曲げ溝７ａの溝方向と直交する方向において開口連通状に存在することとなり、また、長辺側板部２側と長辺折返し板部４側の波状中芯ａ４の空洞部８は、長辺方向に連なって延びる長辺折返し曲げ溝７ｃの溝方向と直交する方向において開口連通状に存在することとなる。
【００３８】
なお、長辺折返し曲げ溝７ｃは、図２および図３に示すように、長辺折返し板部４が長辺側板部２の上辺から内向きに９０°折り曲げられ、さらに下向きに９０°折り返される。つまり、長辺折返し板部４を長辺側板部２の上辺から内向きに１８０°折り返して長辺側板部２の内側全面に重ねるに適する二列（二重）に形成されている。
【００３９】
つぎに、短辺曲げ溝７ｂおよび短辺折返し曲げ溝７ｄ、そして側辺曲げ溝７ｅについて説明する。図５は、短辺曲げ溝および短辺折返し曲げ溝、側辺曲げ溝の加工形態を示す要部の拡大斜視図である。
この短辺曲げ溝７ｂと短辺折返し曲げ溝７ｄ、そして側辺曲げ溝７ｅは、波状中芯ａ４の空洞部８方向（波状中芯ａ３の波状方向と直交する方向）にそれぞれ形成される。
具体的に説明すると、図５に示すように、短辺曲げ溝７ｂと短辺折返し曲げ溝７ｄ、側辺曲げ溝７ｅは、表面ライナーａ１側を残し、裏面ライナーａ２、中間ライナーａ３、二層の波状中芯ａ４にスリットを入れ、このスリットの両側を溝角が略９０°のＶ字状になるように押し潰すことにより、底板部１と短辺側板部３との境界、そして短辺側板部３と短辺折返し板部５との境界、長辺側板部２と内曲げ単片板部６の境界において波状中芯ａ３の波状中芯ａ４の空洞部８方向に向けてそれぞれ形成されるＶ溝である。
【００４０】
なお、短辺折返し曲げ溝７ｄは、図１および図３に示すように、短辺折返し板部５が短辺側板部３の上辺から内向きに９０°折り曲げられ、さらに下向きに９０°折り返される。つまり、短辺折返し板部５を短辺側板部３の上辺から内向きに１８０°折り返して短辺側板部３の内側上半部に重ねるに適する二列（二重）のＶ溝に形成されている。
【００４１】
そして、本実施例では、このようにして形成される各曲げ溝７ａ〜７ｅに沿って展開シートａを順次に折り曲げて棺本体Ａ１を組み立て構成する組み立て作業において、長辺曲げ溝７ａを含めて該長辺曲げ溝７ａを介して開口連通する底板部１側と長辺側板部２側の波状中芯ａ４の空洞部８に紙材（段ボール）の接着性を有する充填剤を流し込み充填することで、棺本体Ａ１の底部となる底板部１と長辺壁部となる長辺側板部２との連設コーナー部分に断面視でＬ字状の強化梁材９が硬化形成されるようにしている。
【００４２】
また、本実施例では、図１および図２に示すように、強化梁材９が硬化形成されると同時に、長辺方向（長手方向）における連設コーナー部分のコーナー内側に強化梁材９に一体に連設される長辺内コーナー押え部１０が、短辺方向（短手方向）における連設コーナー部分のコーナー内側に長辺内コーナー押え部１０に一体に連設される短辺内コーナー押え部１１が硬化形成されるようにしている。
【００４３】
≪強化梁材および長辺および短辺両内コーナー押え部の説明≫
図６は、強化梁材および長辺内コーナー押え部を示す要部の拡大斜視図である。
強化梁材９は、矩形状（長方形）に組み立て構成される棺本体Ａ１の底部と両側長辺壁部との連設コーナー部分において断面視でＬ字状に硬化形成れて長辺全長にわたり内設されることで、棺本体Ａ１の長辺方向（長手方向）の耐荷重強度を強化する。つまり、棺本体Ａ１内に収容される遺体やその他の収容物の荷重負荷によって棺本体Ａ１の底部が下方に撓む（歪む）座屈を抑えるべく、底部の長辺全長にわたり実用上十分な耐荷重強度を付与する役目を成すものである。
【００４４】
この強化梁材９を硬化形成する充填剤は、樹脂を主成分とする樹脂系、例えば、変性酢酸ビニル系の接着剤である。この充填剤の粘度（ｍＰａ・ｓ／２３℃）は、長辺曲げ溝７ａから底板部１側と長辺側板部２側の波状中芯ａ４の空洞部８へ流し込み充填した際に、長辺曲げ溝７ａに溝壁の開口から空洞部８内の所定の充填部範囲において空洞部８を完全に埋め尽くすようにその流れが当該充填部範囲内に止まる程度の例えば、２０，０００〜３０，０００の範囲が好ましく、特に好ましは２５，０００である。
【００４５】
そして、このような粘度を有する充填剤の長辺曲げ溝ａ１を含めて長辺曲げ溝ａ１からの空洞部８への流し込み充填は、図示省略の充填ノズルを用いた強制充填にて行われる。また、底板部１に短辺側板部３を折り曲げ起立可能に連設する短辺曲げ溝ａ２を含めた残る曲げ溝ａ３〜ａ７への充填剤の充填も同様に充填ノズルによる強制充填により行われるものである。
【００４６】
［作用説明］
つぎに、展開シートａから棺本体Ａ１を組み立て構成するその組み立て手順の一例について簡単に説明する。
図７〜９図は、棺本体の組み立て手順を示す説明斜視図であり、図１０は、組み立て構成された棺本体を蓋体とともに示す説明斜視図である。ここでは、図１〜図３を適宜参照しながら説明する。
【００４７】
図３に示す展開シートａの状態から、まず初めに、図７に示すように、長辺折り返し板部を長辺折返し曲げ溝７ｃに沿って長辺側板部２の内側に折り返して接着固定する。
つぎに、底板部１と長辺側板部２との長辺曲げ溝７ａおよび底板部１と短辺側板部３との短辺曲げ溝７ｂに充填ノズルを用いた強制充填によって充填剤を流し込み充填する。このとき、長辺曲げ溝７ａを介して連通する底板部１側と長辺側板部２側の波状中芯ａ４の空洞部８の所定の充填範囲に充填剤が流れ込み充填される分量の充填剤を長辺曲げ溝７ａから両空洞部８に流し込み充填する。また、長辺側板部２を長辺曲げ溝７ａに沿って垂直に折り曲げ起立させたときに、充填剤の一部が連設コーナー部分のコーナー内側にはみ出すように多めの分量にて充填剤を長辺曲げ溝７ａに流し込み充填する。
また、短辺側板部３を短辺曲げ溝７ｂに沿って垂直に折り曲げ起立させたときに、充填剤の一部が連設コーナー部分のコーナー内側にはみ出す分量の充填剤を短辺曲げ溝７ｂに流し込み充填する。
【００４８】
このようにして、長辺曲げ溝７ａと短辺曲げ溝７ｂに充填剤を流し込み充填した状態で、図に示すように、長辺側板部２を長辺曲げ溝７ａに沿って垂直折り曲げ起立させるとともに、長辺側板部２両側の内曲げ単片板部６を側辺曲げ溝７ｅに沿って内向きに折り曲げ、次いで短辺側板部３を短辺曲げ溝７ｂに沿って垂直に折り曲げ起立させて立ち上げて短辺側板部３の内側に内曲げ単片板部６を接着固定する。
最後に、短辺折返し板部５を短辺折返し曲げ溝７ｄに沿って短辺側板部３の内側上半部に折り返して接着固定することで、図９および図１０に示す矩形状（長方形）の棺本体Ａ１が組み立て構成される。
【００４９】
また、本実施例では、棺本体Ａ１の底部（底板部１）裏面に、図１および図２に示すように、底部全面の耐荷重強度をさらに向上させるために同じく二層強化段ボールからなる補強底板１２を貼り付けなどによって備える。この補強底板１２は、図９に示すように、波状中芯ａ４の方向（目方向）を底板部１の波状中芯ａ４の方向（目方向）に対し直交させた方向にて棺本体Ａ１の底部裏面に貼り付けられるものである。
【００５０】
以上詳述のように、長辺側板部２を長辺曲げ溝７ａに沿って垂直折り曲げ起立させることで、底板部１と長辺側板部２との連設コーナー部分に、図１および図２に示すように、断面視でＬ字状を呈して長辺全長にわたる強化梁材９と、コーナー内側を埋め尽くすように長辺曲げ溝７ａからはみ出して長辺全長にわたり強化梁材９と一体に連設される長辺内コーナー押え部１０とが硬化形成される。
また、底板部１と短辺側板部３との連設コーナー部分のコーナー内側には、図１および図２に示すように、コーナー内側を埋め尽くすように短辺曲げ溝７ｂからはみ出して短辺方向全長にわたり長辺内コーナー押え部１０に一体に連設される短辺内コーナー押え部１１が硬化形成される。
このように、本実施形態に係る棺桶Ａの棺本体Ａ１の底部は、長辺両側の連設コーナー部分に硬化形成されて長辺全長にわたり内設される強化梁材９と、長辺および短辺の両辺コーナー内側に沿って全長にわたり一体に連設されて硬化形成される長辺および短辺両内コーナー押え部１０，１１とによって定形保持されることで、収容される遺体やその他の収容物などの荷重負荷に対して実用上十分な耐荷重強度に強化されるものである。
【００５１】
そして、本実施例では、底板部１と長辺側板部２との連設コーナー部分に強化梁材９および長辺内コーナー押え部１０を一体に備え、また、底板部１と短辺側板部３との連設コーナー部分には長辺内コーナー押え部１０と一体に連設させた短辺内コーナー押え部１１を備えた棺本体Ａ１（実施品）の耐荷重強度を確認するために、以下の試験条件によって耐荷重強度試験（たわみ量測定）を試みた。
この耐荷重強度試験は荷重を掛けた状態で２４時間放置した後、棺本体（試験体）の底部長辺中央部のたわみ量を観察することで行った。また、比較品として強化梁材、長辺および短辺両内コーナー押え部を備えていない棺本体を準備して耐荷重強度試験を行った。
ちなみに、充填剤から硬化形成される強化梁材９および長辺、短辺両内コーナー押え部１０，１１の硬度（Ｈｖ）は、６５〜７５であることが材料試験（硬さ試験）によって確認されている。
【００５２】
試験条件
ａ．棺本体（試験体）寸法：長辺寸法１９００ｍｍ、短辺寸法５７０ｍｍ、高さ寸法
４４０ｍｍ
ｂ．棺本体（試験体）支持：短辺両側二箇所を棺台で支持する二点支持で、支持間隔
は１７００ｍｍである。
ｃ．試験荷重            ：２１０ｋｇ
ｄ．載荷方法            ：長辺中央集中荷重法（２４時間放置）
ｅ．試験環境            ：自然環境下（温湿度変動下）
（ここでは気温１９〜２６℃、湿度７４〜９１％）
ｆ．試験時間            ：２４時間放置
ｇ．測定                ：スケールによる撓み量（棺台の棺桶載置面を測定基準と
して底部長辺中央部のたわみ量を測定）
【００５３】
以上詳述の試験条件で耐荷重強度試験を行ったところ、底部長辺方向における中央部分のたわみ量が、実施品では１０ｍｍであったのに対し、比較品では１７ｍｍであることが確認された。また、耐荷重強度が比較品に比べて４０％高められていることが確認された。
【００５４】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、棺本体の底部両側長辺の連設コーナー部分に硬化形成される強化梁材の断面視形状はＬ字状に限られるものではない。
【００５５】
また、長辺折返し板部を長辺側板部の内側に折り返し重ねるとき、長辺折返し溝部を含めて長辺折返し溝部から長辺側板部側と長辺折返し板部側に連通存在する波状中芯の空洞部に充填剤を流し込み充填して、長辺側板部と長辺折返し板部との折返し部分に、長辺全長にわたる強化梁材が硬化形成されるようにすることができる。これにより、棺本体の長辺壁部の剛性を高めて、長辺方向の耐荷重強度をさらに強化させることが期待できる。
【００５６】
また、本発明に係る平面視で矩形状（長方形）の段ボール製箱体は、マグロなどの大型魚などを箱詰め運搬するときの運搬箱としても適用することができる。この場合、耐水性や撥水性などの加工処理が施された二層や三層などの強化段ボールからなる展開シートを用いて運搬箱を組み立て構成することが好ましい。また、運搬箱の開口部には封緘用の内外フラップを備える。
このように、大型魚の箱詰め運搬用として使用した場合、運搬箱の底板部と長辺側板部との連設コーナー部分には強化梁材が長辺全長にわたり内設存在し、そのコーナー内側には強化梁材と一体とする長辺内コーナー押え部が長辺全長に存在し、また、底板部と短辺側板部とのコーナー内側には長辺内コーナー押え部と一体に連設された短辺内コーナー押え部が短辺全長にわたり存在していることで、当該コーナー押え部が防水作用を成して大形魚を箱詰めの際に箱内に入り込んだ水や封緘後における外気との温度差による結露水などが、段ボールの表裏ライナーの間に浸入することを防ぐことができる。つまり、段ボールの強度低下が敬遠される波状中芯が水に濡れることを防ぐことができる。
【符号の説明】
【００５７】
Ａ      棺桶
Ａ１    棺本体（段ボール製箱体）
Ａ２    蓋体
ａ      展開シート
ａ１    表面ライナー
ａ２    裏面ライナー
ａ３    中間ライナー
ａ４    波状中芯
１      底板部
２      長辺側板部
３      短辺側板部
４      長辺折返し板部
５      短辺折返し板部
６      内曲げ単片板部
７ａ〜７ｅ  曲げ溝
８      空洞部
９      強化梁材
１０    長辺内コーナー押え部
１１    短辺内コーナー押え部
【図１】
2014005067.tif 000003
【図２】
2014005067.tif 000004
【図３】
2014005067.tif 000005
【図４】
2014005067.tif 000006
【図５】
2014005067.tif 000007
【図６】
2014005067.tif 000008
【図７】
2014005067.tif 000009
【図８】
2014005067.tif 000010
【図９】
2014005067.tif 000011
【図１０】
2014005067.tif 000012